(57)【要約】【課題】軒樋の内側に樋継手が設けられている軒樋の接続構造において、接続部付近の接続段差部において砂やゴミが堆積し難い軒樋の接続構造を提供することを目的とする。【解決手段】軒樋１、１同士が長手方向端部を互いに突き合わせた状態で配設され、突き合わせられた軒樋１、１の間に跨がって軒樋１の内周面に沿うように外周面に接着剤を塗布した樋継手３が装着されている軒樋の接続構造において、樋継手３の底壁３１の内側面に両端側に向けて下り勾配の傾斜面３１１が形成されている。【選択図】      図１
2005248534.tif 000002
【特許請求の範囲】
【請求項１】
軒樋同士が長手方向端部を互いに突き合わせた状態で配設され、突き合わせられた軒樋の間に跨がって軒樋の内周面に沿うように外周面に接着剤を塗布した樋継手が装着されている軒樋の接続構造において、樋継手の底壁の内側面に両端側に向けて下り勾配の傾斜面が形成されていることを特徴とする軒樋の接続構造。
【発明の詳細な説明】
【技術分野】
【０００１】
本発明は、軒樋の内側に樋継手が設けられている軒樋の接続構造に関する。
【背景技術】
【０００２】
従来、軒樋の内側に樋継手が設けられている軒樋の接続構造としては、例えば、特許文献１に記載されているようなものが知られている。
【０００３】
この従来の軒樋の接続構造は、軒樋の突き合わせ部からの漏水の発生を防止するとともに接続部付近の水溜まりを少なくするために、樋継手の少なくとも底壁の内側面に長手方向に沿って溝条部を形成したものである。
【特許文献１】特開２００３−３０１５７４号公報（図１、図４、図５を参照）
【発明の開示】
【発明が解決しようとする課題】
【０００４】
ところで、上記特許文献１に記載された軒樋の接続構造にあっては、雨水が一方の軒樋から他方の軒樋に流れるときに、雨水が溝条部に沿ってスムースに流れるので水溜まりができなくなるという問題は解消されるものの、樋継手の両端部の段差部に砂やゴミが引っ掛かり砂やゴミが堆積し易いという問題もあった。
【０００５】
本発明は、このような事情に鑑みて、軒樋の内側に樋継手が設けられている軒樋の接続構造において、接続部付近の接続段差部において砂やゴミが堆積し難い軒樋の接続構造を提供することを目的としている。
【課題を解決するための手段】
【０００６】
このような目的を達成するために、請求項１に記載の発明に係わる軒樋の接続構造（以下、「請求項１の軒樋の接続構造」と記す）は、軒樋同士が長手方向端部を互いに突き合わせた状態で配設され、突き合わせられた軒樋の間に跨がって軒樋の内周面に沿うように外周面に接着剤を塗布した樋継手が装着されている軒樋の接続構造において、樋継手の底壁の内側面に両端側に向けて下り勾配の傾斜面が形成されていることを特徴としている。
【発明の効果】
【０００７】
以上説明したように、本発明軒樋の接続構造では、軒樋同士が長手方向端部を互いに突き合わせた状態で配設され、突き合わせられた軒樋の間に跨がって軒樋の内周面に沿うように外周面に接着剤を塗布した樋継手が装着されている軒樋の接続構造において、樋継手の底壁の内側面に両端側に向けて下り勾配の傾斜面が形成されているので、上流側軒樋の接続部付近では砂やゴミが堆積しなくなり、長期使用において排水性能を維持することができる。
【発明を実施するための最良の形態】
【０００８】
次に、本発明の実施の形態を、図１〜図７に基づいて説明する。  
【０００９】
図１〜図２は、本発明の軒樋の接続構造の一例を示す一部切り欠き側断面図である。この軒樋の接続構造は、軒樋１同士が長手方向端部を互いに突き合わせた状態で配設され、突き合わせられた軒樋１の間に跨がって軒樋１の内周面に沿うように接着剤２を介して樋継手３が設けられている。
【００１０】
軒樋１は押出成形品で、図５に示すように、本体部１０が、平坦な底壁１１の前側部から前側壁１２が立設され、かつ底壁１１の後側部から後側壁１３が立設された溝形断面に形成されている。尚、前側壁１２は外側に向けて段部１２１が形成されるとともに若干膨出して形成され底壁１１の前側部に前側コーナー部１２２が形成されている。また、前記後側壁１３は底壁１１に対して直角に形成され後側コーナー部１３１が形成されている。      
【００１１】
また、前記前側壁１２の上端には前耳１４が形成されており、この前耳１４は内面側に溝１４１が形成されている。更に、後側壁１３の上端には後耳１５が形成されており、この後耳１５は、内方に向けて突出された係止突起１５１が形成されている。
尚、前記前耳１４の溝１４１及び後耳１５の係止突起１５１は、軒樋１を樋支持具（図示省略）に取り付ける際の取付用溝と突起となる。
【００１２】
樋継手３は、図６〜図７に示すように、平坦な底壁３１の前側部から前側壁３２が立設され、かつ底壁３１の後側部から後側壁３３が立設された溝形断面に形成されている。そして、樋継手３の外面形状は、前記軒樋１の内面形状と一致する形状に形成されるとともに、前記樋継手３の前側壁３２の上端には、中央部分を除いて後向きに断面Ｕ字状に湾曲した係止耳３５が設けられており、下係止片３５１と上係止片３５２とが所定間隔を介して対向して形成され、上係止片３５２の先端部に上向きに屈曲して係止突起３５３が設けられている。
【００１３】
樋継手３の前側壁３２は、外側に向けて若干膨出して形成されるとともに段部３２１が形成されており、底壁３１の前側部に前側コーナー部３２２が形成されている。また、前記後側壁３３は底壁３１に対して直角に形成され後側コーナー部３３１が形成されている。
【００１４】
そして、樋継手３の底壁３１の内側面には両端側に向けて下り勾配の傾斜面３１１が形成されており、また長手方向に沿って細幅の溝条部３１ａが形成され溝底が薄肉となっている。この溝条部３１ａの厚みと傾斜面３１１の先端の厚みとはほほ同じで寸法となされている。また、後側壁３３にも同じように溝条部３３ａが形成されている。尚、溝条部３１ａ、３３ａの溝底の厚みは樋継手３の厚みの１／３から半分程度が好ましいがこれに限定されるものではない。
【００１５】
このような樋継手３で軒樋１を接続するには、先ず、樋継手３の外周面に必要に応じて接着剤２を塗布して、樋継手３の後側壁３３の上端部を軒樋１の後耳１５の付け根に引っ掛けて、軒樋１の内方に押し込むようにして嵌め込み、軒樋１の前耳１４の溝１４１に樋継手３の係止耳３５を係止させる。
【００１６】
このとき、樋継手３の底壁３１が溝条部３１ａで内側に屈曲するととも、後側壁３３の溝条部３３ａも屈曲し、軒樋１の内方に押し込むようにして嵌め込むとときに、樋継手３の接着剤２が塗布されている外周面は軒樋１の底壁１１や段部１２１と擦れることはない。
その結果、樋継手３の前側コーナー部３２１や後側コーナー部３３１の外周面に塗布されている接着剤２が擦れて剥離することがない。
【００１７】
従って、樋継手３の後側コーナ部３３１と軒樋１の後側コーナー１３１とが接着剤２を介して密着した状態となり、しかも樋継手３の前側コーナ部３２１と軒樋１の前側コーナー１２２とが接着剤２を介して密着した状態となるから、雨水が樋に流れたときの漏水が防止される。
【００１８】
また、樋継手３で軒樋１を接続した後では、樋継手３の底壁３１の内側面に両端側に向けて下り勾配の傾斜面３１１が形成されているので、雨水が流れたときに上流側軒樋の接続部付近では砂やゴミが引っかからずに押し流されるから堆積することがない。
更に、樋継手３の底壁３１に薄肉の溝条部３１ａを設けると、雨水が一方の軒樋１から他方の軒樋１に流れるときに溝条部３１ａに沿って砂やゴミとともにスムースに流れるので、一方の軒樋１側の底壁に水溜まりが少なくなる。
【００１９】
以上、本発明実施例を図面に基づいて説明してきたが、具体的な構成はこの実施例の限られるものではなく本発明の要旨を逸脱しない範囲の設計変更等があっても本発明に含まれる。
【００２０】
例えば、上記実施例において、軒樋１の長手方向に沿って細幅の溝条部３１ａ、３３ａを形成したが、溝条部３１ａ、３３ａを設けなくてもよい。
【図面の簡単な説明】
【００２１】
【図１】本発明の軒樋の接続構造の実施例を示す一部切り欠き側断面図である。
【図２】図１におけるＡ部の拡大一部切り欠き側面図である。
【図３】図１におけるＢ部の拡大一部切り欠き側断面図である。
【図４】図１におけるＣ−Ｃ線矢視の要部拡大断面図である。
【図５】本発明の軒樋の接続構造に使用される軒樋の側面図である。
【図６】本発明の軒樋の接続構造に使用される樋継手の側面図である。
【図７】本発明の軒樋の接続構造に使用される樋継手の斜視図である。
【符号の説明】
【００２２】
１            軒樋
１２１        段部
１２２        前側コーナー部
１３１        後側コーナー部
２            接着剤
３            樋継手
３１          底壁                                                    
３１１        傾斜面                                                  
３２          前側壁                                                  
３３          後側壁                                                  
３２１        前側コーナー部
３３１        後側コーナー部
３１ａ、３３ａ      溝条部
【図１】
2005248534.tif 000003
【図２】
2005248534.tif 000004
【図３】
2005248534.tif 000005
【図４】
2005248534.tif 000006
【図５】
2005248534.tif 000007
【図６】
2005248534.tif 000008
【図７】
2005248534.tif 000009